(57)【要約】      （修正有）【課題】木造建築物の基礎と柱、柱と横架材、及び柱と柱を緊結固定する引き寄せ金物の小型化と高耐力化を図る。【解決手段】引き寄せ金物上端縁Ｋから数センチ下方に先端垂直平板Ｅの中央連結部Ｌを残した両側壁にまで掛かる変形促進孔Ｈを穿つ、更に下端から数センチ上方に先端垂直平板Ｅを折り上げ、めり込み防止板Ｆとし、引き抜き力が作用した場合、この引き寄せ金物Ａの上端縁Ｋ上では、ワッシャーＤを介しナットＣにて固定されているボルトＢが先端垂直平板Ｅ方向に前傾すると同時に引き寄せ金物Ａの下方の下端縁Ｊを柱１にめり込ませ、下部のめり込み防止板ＦはボルトＢに接触することで先端垂直平板Ｅの下方の延長線上に位置し、引き寄せ金物Ａ上方では、先端垂直平板Ｅの上部Ｉと変形促進孔Ｈの変形が起こり下方のめり込み防止板Ｆは二段階に変形し、柱１に集中する引き抜き力を吸収することで高耐力化を図る。【選択図】図１
2011256686.tif 000002
【特許請求の範囲】
【請求項１】
外形矩形形状でアンカーボルトの正面から被覆施工する背面開口の引き寄せ金物であって、
その先端上部に引き抜き力を吸収する変形促進孔と下部に変形して二段階にめり込みを防止するめり込み防止機構との二種類の構造部材保護機構を具えたことを特徴とする引き寄せ金物。
【請求項２】
先端垂直平板の上端より数センチ下方に構造部材の破壊を最小限に抑えることを目的とした中央部を連結させた変形促進孔を具えたことを特徴とする請求項１記載の引き寄せ金物。
【請求項３】
先端垂直平板下部より直角にめり込み防止板を折曲し、数センチ幅の底部平旦部分から斜め上方に折り上げ第一のめり込み防止機構とする。
更なる外力により、第一のめり込み防止機構のめり込み防止板立ち上げ部が内側前方に変形し、底部平旦部分が底辺となる第二の三角形のめり込み防止機構を構成することによる二段階のめり込み防止機構を有することを特徴とする請求項２記載の引き寄せ金物。
【発明の詳細な説明】
【技術分野】
【０００１】  本発明は木造建築物の構造躯体を構成する基礎と柱、下階の柱と上階の柱同士、柱と横架材を緊結固定する場合に用いる引き寄せ金物に関する。
【背景技術】
【０００２】  古来より木造建築物の構造部材の接合には、接合する構造部材同士の木口を仕口と称する雌雄の形状に加工し組み合わせ接合する方法が採られてきた。【０００３】  然しながら、これ等の接合方法では木材の乾湿による膨張、収縮には完全に対応することは不可能と言わざるを得ない、この状況を解決するために古来から楔等を用い構造部材同士の隙間を埋めて来た。【０００４】  又、これ等の接合部の形状は水平方向の接合には適するものの、雌材に雄材を嵌め込む建築物の従来の構築の方法手順からすると引き抜き力等の垂直方向への抵抗力には少なからず問題があった。【０００５】  この接合を補完するため、近年では、帯金物、羽子板ボルト等の接合補助金物を用いており、これ等の接合金物無くしては木造建築物を建築することが不可能な状況が存在している。【０００６】  特に垂直構造部材である柱と横架材との接合に関しては、緊結のための引き寄せ金物を用い、基礎から延伸したアンカーボルトに直接緊結固定している。
当然のこととして、引き抜き力に対抗するため大耐力を要求されることになり、それに対応するため、止めつけビスの数を増やし大型化した引き寄せ金物が商品化されている。【０００７】  上述するように、構造部材である柱に水平力等から生じる引き抜き力に対抗する高耐力を得る為に取り付けビスの数を増やし、一本のビスに係るせん断力を分散させビス間隔を広げ高耐力を得ている。
このことは、ビス相互の間隔が広いほど木材の割裂が小さく、そのビス間隔を確保するために必然的に引き寄せ金物の取り付け固定部は大型化される方向にある。【０００８】  引き寄せ金物が大型化されると、取り付け作業や現場内運搬に与える影響も大きく施工時間、重量物の運搬等による高コストの原因にもなっている。
然しながら、引き抜き力に対し柱等の高耐力化は、建築基準法等により義務付けられており、要求される耐力を確保するためには、大型金物であっても引き寄せ金物等により耐力の補完を行わなければならない。
【発明の開示】
【発明が解決しようとする課題】
【０００９】  従来技術では、引き寄せ金物の取り付けが義務化されている状況に於いては、引き寄せ金物等を無くして構造耐力を高めるという要求に応えることは困難に等しく、安全な住宅を設計、供給するという条件からすると大型であってもその引き寄せ金物を使用せざるを得ない。【００１０】  本発明は、斯様な状況を鑑み成されたもので、その目的とするところは、引き寄せ金物の小型軽量化と高耐力化である。
木材に取り付けた状態にて試験を行う引き寄せ金物は、十分な耐力試験を経て商品化が図られるのであるが。
構造部材である柱に取り付けた場合、木材が破壊され金物は変形しないのが殆どであり十分な耐力が得られないことが多々ある。
構造部材である柱に引き寄せ金物を取り付け引き抜き力が発生した場合、引き寄せ金物を変形させ主要構造部である木材を保護することが重要であり、それにより引き寄せ金物の耐力を向上させることが可能になる。
【課題を解決するための手段】
【００１１】  本発明による引き寄せ金物では、引き寄せ金物の変形を促進し、木材への影響を可能な限り減少させる目的から、引き寄せ金物の先端垂直平板の上端から数ミリ下がった部分に左右両側壁の中央部付近まで延伸させた変形促進孔を設けている。【００１２】  更に、引き寄せ金物が取り付けられた柱に引き抜き力が作用すると、この引き抜き力は、基礎から延伸されているアンカーボルト上部を前傾させ曲げる方向に作用する。
一方、引き寄せ金物下方では、引き寄せ金物のある点を中心に木材にめり込ませようとする方向に作用する上下一対の隅力になる。【００１３】  この発生する引き抜き力に対抗するには、アンカーボルトの変形を抑止し垂直に自立した状態を保てれば引き寄せ金物の木材へのめり込みと木材破壊の発生を最小限にすることができる。
このことは、引き寄せ金物の先端垂直平板上部には変形促進孔と下方のめり込み防止板の内在が、アンカーボルトが変形した場合でも引き寄せ金物の変形により木材の破壊を抑止することになる。
【発明の効果】
【００１４】  以上説明したように、本発明によれば、引き寄せ金物上部の変形促進孔と下方のめり込み防止板による効果は引き寄せ金物が取り付けられた構造部材である木材の割裂と引き寄せ金物下部の構造部材へのめり込みを抑止し引き寄せ金物の終局耐力の向上が図れる。【００１５】  これにより、他の引き寄せ金物の様に長大且つ大重量の背板を具えることが無くなり引き寄せ金物の小型軽量化とローコスト化が実現できることになる。
又、施工に際しても重量の軽減により持ち運び易く、片手での位置決めが可能となり高能率に施工を行うことができる。【００１６】  更に、本引き寄せ金物の形状は角型である。
これにより、無駄な空間を生じること無く梱包することが可能で、梱包に係るコストや搬送経費の節約にもつながり、その無駄を省いた単純形状は、現場での持ち運びや取り付けにも効果的であり、多くの利点を有しており、エコノミー且つエコロジーである。
【発明を実施するための最良の形態】
【００１７】  以下本発明の実施の形態を図面に基づき詳細に説明する。
【実施例】
【００１８】  図１、図２は本発明の実施の形態に係り、図１は本発明の引き寄せ金物Ａが両側の取り付けフランジＯからビスＮにて柱１に取り付けられ、土台２を介し基礎３から延伸したアンカーボルトＢにワッシャーＤを介し緊結固定ナットＣにて緊結固定された状態の部分縦断面斜視図であり、図２は本発明の引き寄せ金物の外観斜視図で図３はその取り付け状況を示す縦断面図である。【００１９】  地震力や風圧力等の水平力が建築物に作用すると、その水平力は建築物を構成する構造部材である柱には引き抜き力という形で作用する。
その力は、最終的には地盤に伝達され吸収されるが、この過程のなかで脆弱な部分が存在するとその部分から破壊が生じることになる。【００２０】  水平力が作用すると、本発明の引き寄せ金物Ａが取り付けられた構造部材である柱１にも上記同様の引き抜き力が作用し、アンカーボルトＢにて緊結固定された本発明の引き寄せ金物Ａには、引き抜き力に抵抗する反力が生じ、引き抜き力と反力が拮抗した状態が生じていることになる。【００２２】  この引き抜き力は、大きくなるにつれ、引き寄せ金物ＡがナットＣによりアンカーボルトＢと緊結されているためアンカーボルトを前傾させようとする方向に作用し引き寄せ金物Ａの上端縁Ｋの先端部Ｉを押し下げようとする方向に作用する。
反対に、本発明の引き寄せ金物Ａの下端部Ｊでは柱方向に向かい、下端部Ｊを柱１にめり込ませることになる。【００２３】  然しながら、引き寄せ金物Ａの強度が勝れば、引き抜き力により構造部材である柱１は割裂を起こし破壊されてしまうことになるが、本発明の引き寄せ金物Ａには変形促進孔Ｈとめり込み防止板Ｆが設けられているため、変形促進孔Ｈ上部の先端垂直平板の下り板Ｉが押し下げられ両側の変形促進孔Ｈの中央連結部Ｌが前方に膨らみ変形しながら生じる反力を吸収し構造部材である柱１の割裂等を抑止することになる。【００２４】  更に、下部めり込み防止板Ｆの立ち上げ部ＰはアンカーボルトＢが引き抜き力により前方Ｉ方向に変形すると、その際に本発明の引き寄せ金物Ａの下端部Ｊを柱１の内側に向かわせるが、変形防止板Ｆの立ち上げ部Ｐが接することによりその先端は先端垂直平板Ｅと接触し、めり込み防止板の底部Ｇ部分を底辺とする三角形を構成する。
この三角形の形状にてアンカーボルトＢから生ずる下端部Ｊをめり込ませようとする力に二段階に抵抗することになる。【００２５】  よって、引き寄せ金物Ａは上端先端部Ｉ及びＬ部分は変形するが、構造部材である柱１の割裂を抑止することが可能となり、結果として本発明の引き寄せ金物Ａの終局強度を増大させることが可能となる。
【産業上の利用の可能性】
【００２６】  本発明は木造建築物を建築する場合、その基礎と柱を緊結固定するに際し緊結固定金物として有効に使用することができるため、木造建築物を施工する産業分野で利用することができる。
【図面の簡単な説明】
【００２７】
【図１】取り付け状態を示す部分断面斜視図
【図２】本発明の引き寄せ金物外観斜視図
【図３】取り付け状態を示す縦断面図
【符号の説明】１                      構造部材である柱
２                      構造部材である土台
３                      基礎
Ａ                      引き寄せ金物
Ｂ                      アンカーボルト
Ｃ                      ナット
Ｄ                      ワッシャー
Ｅ                      先端垂直平板
Ｆ                      めり込み防止板
Ｇ                      めり込み防止板底部
Ｈ                      変形促進孔
Ｉ                      先端垂直平板下り板
Ｊ                      引き寄せ金物下端縁
Ｋ                      引き寄せ金物上端縁
Ｌ                      変形促進孔連結部
Ｍ                      変形促進孔上端縁
Ｎ                      取り付けビス
Ｏ                      フランジ
Ｐ                      めり込み防止板立ち上げ部
Ｑ                      変形促進孔下端縁
【図１】
2011256686.tif 000003
【図２】
2011256686.tif 000004
【図３】
2011256686.tif 000005